(57)【要約】【課題】  鋼製のサイドフレームを化粧カバーで覆うことは従来から行われているが、サイドフレーム自体に設けたオプション取付穴の利用等を全く考慮していない。【解決手段】  本発明では、ベッド１のサイドフレーム２の外側面に対応する第１の板部と、上面と下面に対応する第２の板部１０ｕと第３の板部１０ｄとを有する断面コ字状の長尺カバー部材９を弾性材によって構成し、夫々の板部の外面を化粧面として構成すると共に、第２の板部と第３の板部の端縁には夫々対向方向に係合爪部１１ｕ、１１ｄを突設し、第２の板部１０ｕにのみ、サイドフレームの上面に形成したオプション取付穴４に対応する個所に窓孔１３を形成した化粧カバーを提案している。【選択図】    図１
2015084816.tif 000002
【特許請求の範囲】
【請求項１】
ベッドのサイドフレームの外側面に対応する第１の板部と、上面と下面に対応する第２の板部と第３の板部とを有する断面コ字状の長尺カバー部材を弾性材によって構成し、夫々の板部の外面を化粧面として構成すると共に、前記第２の板部と第３の板部の端縁には夫々対向方向に係合爪部を突設して、前記長尺カバー部材を前記サイドフレームの外側から装着して、前記係合爪部を前記サイドフレームの内側に位置させて係合固定する構成とし、前記第２の板部にのみ、前記サイドフレームの上面に形成したオプション取付穴に対応する個所に窓孔を形成したことを特徴とするオプション取付穴を設けたベッドのサイドフレーム用化粧カバー。
【請求項２】
係合爪部は、第２の板部と第３の板部の端縁を折り返した構成であることを特徴とする請求項１に記載のオプション取付穴を設けたベッドのサイドフレーム用化粧カバー。
【請求項３】
オプション取付穴の周縁部が上面に突出しているサイドフレームに対応させ、前記第３の板部に、前記周縁部に対応した溝部を形成したことを特徴とする請求項１に記載のオプション取付穴を設けたベッドのサイドフレーム用化粧カバー。
【発明の詳細な説明】
【技術分野】
【０００１】
本発明は、ベッドのサイドフレーム、特に、オプション取付穴を設けたサイドフレーム用の化粧カバーに関する。
【背景技術】
【０００２】
例えば、病院施設向けベッドや介護ベッド等においては、サイドレールやスタンド等のオプションを取付け可能とするために、その長手方向のサイドフレームの上面に、これらのオプションの支柱部分を嵌合可能なオプション取付穴を形成しているものがある。
【０００３】
このようにサイドフレーム自体の上面にオプション取付穴を設けた構成では、前述したようなオプションを取り付けるために、別構成の支持部材を必要とせず、支持部材がベッドの外方に突出しないという利点がある。
【０００４】
このようなベッドにおいて、その長手方向の構造材であるサイドフレームは、殆どが、角形鋼管や曲げ加工した鋼板を塗装したフレーム材を用いて構成されているが、家具としての側面から、その外観を木調とすることも行われている。
【０００５】
例えば特許文献１には、鋼製のベッドのサイドフレームに断面略Ｃ字状の化粧カバーを着脱自在に嵌めて覆う構成のベッドが記載されており、このようにすることにより、金属外観を無くし、木目調仕上げを行えるとしている。そして、この特許文献１のベッドでは、サイドフレームにサイドレールを取付可能とするために、両端部に締め付けねじと取付穴を設けた支持フレームを別構成の支持部材として設け、これをサイドフレームの外側に取り付ける構成としている。
【先行技術文献】
【特許文献】
【０００６】
【特許文献１】特許第３８３７９９２号公報
【発明の開示】
【発明が解決しようとする課題】
【０００７】
特許文献１に記載されるベッドは、サイドフレームを、化粧カバーにより単に覆ってしまうのであり、オプションの取り付けは、別構成の支持部材をサイドフレームに取り付けることを前提としている。
【０００８】
そのためサイドフレーム自体の上面にオプション取付穴を設けた構成のベッドの利点を利用することはできない。
【０００９】
一方、サイドフレーム自体の上面にオプション取付穴を設けた構成のベッドにおいても、当面はオプション取付穴を利用しない場合もあり、この場合には、当面不要のオプション取付穴が外観を損ねることもある。
本発明は、このような課題を解決することを目的の一つとするものである。
【課題を解決するための手段】
【００１０】
上述した課題を解決するために、本発明では、ベッドのサイドフレームの外側面に対応する第１の板部と、上面と下面に対応する第２の板部と第３の板部とを有する断面コ字状の長尺カバー部材を弾性材によって構成し、夫々の板部の外面を化粧面として構成すると共に、前記第２の板部と第３の板部の端縁には夫々対向方向に係合爪部を突設して、前記長尺カバー部材を前記サイドフレームの外側から装着して、前記係合爪部を前記サイドフレームの内側に位置させて係合固定する構成とし、前記第２の板部にのみ、前記サイドフレームの上面に形成したオプション取付穴に対応する個所に窓孔を形成したことを特徴とするオプション取付穴を設けたベッドのサイドフレーム用化粧カバーを提案する。
【００１１】
また本発明では、前記構成において、係合爪部は、第２の板部と第３の板部の端縁を折り返した構成としたことを特徴とするオプション取付穴を設けたベッドのサイドフレーム用化粧カバーを提案する。
【００１２】
また本発明では、前記構成において、オプション取付穴の周縁部が上面に突出しているサイドフレームに対応させ、前記第３の板部に、前記周縁部に対応した溝部を形成したことを特徴とするオプション取付穴を設けたベッドのサイドフレーム用化粧カバーを提案する。
【発明の効果】
【００１３】
本発明の化粧カバーは、断面コ字状の長尺カバー部材を前記サイドフレームの外側から装着して、前記係合爪部を前記サイドフレームの内側に位置させることにより、サイドフレームに係合固定することができる。
【００１４】
装着作業は、長尺カバー部材の弾性により容易に行うことができ、そして弾性変形により対向方向に移動してサイドフレームの内側に位置した係合爪部により、外れを確実に防止することができる。
【００１５】
この際、第２の板部を上側として装着すると、この第２の板部にのみ設けた窓孔がサイドフレームの上面に形成されたオプション取付穴に対応するため、長尺カバー部材を装着したまま、サイドフレーム自体に設けたオプション取付穴を利用してサイドレール等のオプションを利用することができる。
【００１６】
一方、第３の板部を上側として装着すると、この第３の板部には窓孔が設けられていないため、長尺カバー部材の第３の板部がサイドフレームの上面のオプション取付穴を隠すことができ、また長尺カバー部材の第２の板部はサイドフレームの下面に位置しているため、それに設けた窓孔は見えない。こうしてオプション取付穴を利用する必要が無い時点においては、それを隠すことにより、オプション取付穴により美観を損ねることを防止することができる。
【００１７】
本発明において、係合爪部は、第２の板部と第３の板部の端縁に夫々対向方向に突設する構成であればどのような構成であっても良いが、第２の板部と第３の板部の端縁を折り返した構成とした場合には、係合爪部を構成する折り返した部分が装着時に弾性変形して、円滑な装着作業を行えると共に、装着後には弾性により復帰してサイドフレームの内側との係合が確実に行える。
【００１８】
サイドフレームのオプション取付穴は、その周縁部が上面に突出しているものがあり、この場合には、第３の板部に、前記周縁部に対応した溝部を形成することにより、第３の板部によりオプション取付穴を隠す装着を行う際に対応させることができる。
【００１９】
この溝部は、第３の板部を曲げて形成することもできるし、第３の板部の内側の減肉により形成することもできる。
【図面の簡単な説明】
【００２０】
【図１】図１は本発明に係る化粧カバーと、それを装着するベッドの一例を示す斜視図である。
【図２】図２は本発明に係る化粧カバーの第１の装着状態を示す要部斜視図である。
【図３】図３は本発明に係る化粧カバーの第２の装着状態を示す要部斜視図である。
【図４】図４は本発明に係る化粧カバーの第１の実施の形態を示す断面図である。
【図５】図５は本発明に係る化粧カバーの第１の実施の形態における装着作業を、オプション取付穴以外の個所において示す示す断面図である。
【図６】図６は本発明に係る化粧カバーの第１の実施の形態における装着後の状態を、オプション取付穴以外の個所において示す断面図である。
【図７】図７は本発明に係る化粧カバーの第１の実施の形態における第１の装着状態を、オプション取付穴の個所において示す断面図である。
【図８】図８は本発明に係る化粧カバーの第１の実施の形態における第２の装着状態を、オプション取付穴の個所において示す断面図である。
【図９】図９は本発明に係る化粧カバーの第２の実施の形態を第１の装着状態において示す断面図である。
【図１０】図１０は本発明に係る化粧カバーの第３の実施の形態を第１の装着状態において示す断面図である。
【発明を実施するための形態】
【００２１】
次に本発明の実施の形態を、添付した図１〜図１０を参照して説明する。尚、図１〜図１７において、対応する構成要素には同一の符号を付している。
【００２２】
本発明に係る化粧カバーと、それを装着するベッドの一例を示す図１において、符号１は、病院施設向けベッドや介護ベッド等のベッドを示すもので、その長手方向の構造材であるサイドフレーム２は角形鋼管を塗装したフレーム材を用いて構成されており、その上面３ｕに、適数のオプション取付穴４を設けている。この実施の形態のオプション取付穴４は、例えば図７〜図１０に示すように、サイドフレーム２の上下に設けた取付穴５間に下側を絞った筒体６を装着し、かしめて構成している。図７、図８及び図１０の実施の形態では、オプション取付穴４の端縁７が上面３ｕから突出しているが、図９の実施の形態では端縁７は突出していない。この他、オプション取付穴４の構成は適宜である。尚、符号８はベッドの幅方向の構造材としてのフレーム材を示すものである。
【００２３】
符号９は本発明に係る化粧カバーを示すもので、この化粧カバーは、サイドフレーム２の外側面３ｓに対応する第１の板部１０ｓと、サイドフレーム２の上面３ｕと下面３ｄに対応する第２の板部１０ｕと第３の板部１０ｄとを有する断面コ字状の長尺カバー部材として構成している。この化粧カバー、即ち、長尺カバー部材９は、合成樹脂や金属等の弾性材により構成しており、夫々の板部１０ｓ、１０ｕ、１０ｄの外面を化粧面として構成している。化粧面としては、シートラッピング等により木調のデザインとする他、その他のデザインとすることもできる。
【００２４】
そして本発明では、前記第２の板部１０ｕと第３の板部１０ｄの端縁には、夫々対向方向に係合爪部１１ｕ、１１ｄを突設しており、この長尺カバー部材９を、図１の矢印で示すように前記サイドフレーム２の外側から装着して、それらの係合爪部１１ｕ、１１ｄをサイドフレーム２の内側に位置させて係合固定する構成としている。
【００２５】
図１０に示す係合爪部１１ｕ、１１ｄを除き、他の図に示す係合爪部１１ｕ、１１ｄは、第２の板部１０ｕと第３の板部１０ｄの端縁を折り返した構成としている。
【００２６】
尚、符号１２は長尺カバー部材９の長手方向に沿って形成したリブであり、このリブ１２は、例えば長尺カバー部材９を合成樹脂の押し出し成形により形成する際に、成形後の長尺カバー部材９の寸法を押出型の僅かな調整により行えるようにしたものであり、化粧カバーとしての機能においては必ずしも必要とするものではない。
【００２７】
そして本発明では、前記第２の板部１０ｕにのみ、前記サイドフレーム２の上面３ｕに形成したオプション取付穴４に対応する個所に窓孔１３を形成したことを特徴とするものである。
【００２８】
更に、本発明においては、図９に示す実施の形態を除き、周縁部７が上面に突出しているオプション取付穴４に対応して、第３の板部１０ｄに、周縁部７に対応した溝部１４を形成している。この溝部１４は、図１０に示す実施の形態では第３の板部１０ｄの内側の減肉により形成しているが、その他の図に示す実施の形態では、第３の板部１０ｄを曲げて形成している。
【００２９】
以上の構成において、本発明の化粧カバーは、図１の矢印及び図４〜図６に示すように、断面コ字状の長尺カバー部材９をサイドフレーム２の外側から装着して、前記係合爪部１１ｕ、１１ｄをサイドフレーム２の内側に位置させることにより、サイドフレーム２に係合固定することができる。
【００３０】
この装着作業は、図５に示すように長尺カバー部材９の弾性変形により容易に行うことができ、そして図６に示す装着状態では、弾性により対向方向に移動してサイドフレーム２の内側に位置した係合爪部１１ｕ、１１ｄにより、外れを確実に防止することができる。
【００３１】
この際、図２、図７、図９、図１０に示すように、第２の板部１０ｕを上側として装着すると、この第２の板部１０ｕにのみ設けた窓孔１３が、サイドフレーム２の上面に形成されたオプション取付穴４に対応するため、長尺カバー部材９を装着したまま、サイドフレーム２自体に設けたオプション取付穴４を利用してサイドレール等のオプションを利用することができる。
【００３２】
本発明においては、長尺カバー部材９は、上下方向を逆にしてサイドフレーム２に装着することができるため、前記と異なり、第３の板部１０ｄを上側として装着すると、この第３の板部１０ｄには窓孔が設けられていないため、図３、図８に示すように、長尺カバー部材９の第３の板部１０ｄがサイドフレーム２の上面３ｕのオプション取付穴４を隠すことができる。同時に、長尺カバー部材９の第２の板部１０ｕはサイドフレーム２の下面に位置しているため、それに設けた窓孔１３は見えない。
【００３３】
このようにして本発明では、オプション取付穴４を利用する必要が無い時点においては、それを隠すことにより、オプション取付穴４により美観を損ねることを防止することができる。
【産業上の利用可能性】
【００３４】
以上説明したように、本発明の化粧カバーは、オプション取付穴をサイドフレーム自体の上面に設けたベッドにおいて、オプション取付穴を利用できる状態でサイドフレームに木調等の化粧カバーを装着することができる他、オプション取付穴を利用しない時点においては、オプション取付穴を隠した状態でサイドフレームに化粧カバーを装着することができる。
【００３５】
こうして本発明では、鋼製の構造材により構成されたベッドにおいて、木調等の外観を容易に低コストで実現することができると共に、サイドフレーム自体の上面にオプション取付穴を設けたベッドの利点を有効に発揮することができる。
【００３６】
以上のことから本発明では、例えば在宅ベッドにおいて、一般ベッド仕様と特殊ベッド仕様とを容易に切り替えられるベッドを提供することができ、使用する人が健常である時は、オプション取付穴を隠して一般のリクライニングベッドとして使用でき、そして、その後に介護が必要になったときには、オプション取付穴を窓孔から使用可能として、介護ベッドとして使用することができるという大きな利点がある。
【符号の説明】
【００３７】
１                ベッド
２                サイドフレーム
３ｕ              上面
３ｓ              外側面
３ｄ              下面
４                オプション取付穴
５                取付穴
６                筒体
７                端縁
８                フレーム材
９                化粧カバー（長尺カバー部材）
１０ｓ            第１の板部
１０ｕ            第２の板部
１０ｄ            第３の板部
１１ｕ、１１ｄ    係合爪部
１２              リブ
１３              窓孔
１４              溝部
【図１】
2015084816.tif 000003
【図２】
2015084816.tif 000004
【図３】
2015084816.tif 000005
【図４】
2015084816.tif 000006
【図５】
2015084816.tif 000007
【図６】
2015084816.tif 000008
【図７】
2015084816.tif 000009
【図８】
2015084816.tif 000010
【図９】
2015084816.tif 000011
【図１０】
2015084816.tif 000012